(57)【要約】【課題】操作者毎に装置の各種機能の制限などを容易に行うことが可能なラベルプリンタ及び包装装置を提供する。【解決手段】ラベルプリンタ１００は、用紙ロールから用紙を繰り出し、用紙を枚葉状のラベルにして発行する。ラベルプリンタ１００は、操作者毎に割り当てた識別情報と、ラベルプリンタの備える機能について操作者毎に使用可能か否かを規定する権限情報とを関連付けて記憶する記憶部と、ラベル発行に関する操作画面であるラベル発行画面を表示する表示操作部と、操作者毎に割り当てた識別情報を入力する識別情報入力部と、識別情報入力部に識別情報が入力された場合、入力された識別情報に関連付けられた権限情報に基づいて、ラベルプリンタの備える機能のうち権限情報に規定された使用可能な機能のみを実行する制御部と、を有する。包装装置はこのラベルプリンタを備える。【選択図】図１
2015006739.tif 000002
【特許請求の範囲】
【請求項１】
用紙ロールから用紙を繰り出し、ラベルを発行するラベルプリンタであって、
操作者毎に割り当てた識別情報と、ラベルプリンタの備える各機能を前記操作者毎に使用可能か否かを規定する権限情報とを関連付けて記憶する記憶部と、
ラベル発行に関する操作画面を表示する表示操作部と、
前記操作者毎に割り当てた識別情報を入力する識別情報入力部と、
前記識別情報入力部に識別情報が入力された場合、入力された前記識別情報に関連付けられた権限情報に基づいて、前記ラベルプリンタの備える機能のうち前記権限情報に規定された使用可能な機能のみを実行する制御部と、
を有することを特徴とするラベルプリンタ。
【請求項２】
前記表示操作部は、前記操作画面に前記識別情報入力部を表示することを特徴とする請求項１に記載のラベルプリンタ。
【請求項３】
請求項１または請求項２に記載のラベルプリンタを備える包装装置。
【発明の詳細な説明】
【技術分野】
【０００１】
本発明は、ラベルプリンタ、及び、ラベルプリンタを備えた包装装置に関する。
【背景技術】
【０００２】
商品に貼付するラベルを印字発行するラベルプリンタが知られている（例えば、特許文献１参照）。
【先行技術文献】
【特許文献】
【０００３】
【特許文献１】特開２０１０−１７３２４６号公報
【発明の概要】
【発明が解決しようとする課題】
【０００４】
ところで、一般的なラベルプリンタ、及び、そのラベルプリンタを備えた包装装置では、起動時、又は、初期画面の表示時に、各操作者（ユーザ）がログイン操作を行うことを要する。
【０００５】
しかしながら、現在の操作者から他の操作者に切り替える場合、装置（ラベルプリンタや包装機など）を再起動する、初期画面を表示させる、などの煩雑な操作を行うことを要する。
【０００６】
また、操作者毎に、商品単価や包装条件等を変更できる権限、機能操作ボタンを画面に表示するか否かの権限、などを設定する場合、煩雑な操作を行うことを要する。設定ミスにより、許可していない操作者に変更権限を与えたり、表示させたくないボタンが表示されてしまうという問題を生じる可能性があった。
【０００７】
本発明は、上述した問題に鑑みてなされたものであり、操作者毎に、ラベルプリンタや包装装置の機能などを制限すること等を容易に行うことができるラベルプリンタ、及び、そのラベルプリンタを備える包装装置を提供すること、などを目的とする。
【課題を解決するための手段】
【０００８】
本発明のラベルプリンタは、用紙ロールから用紙を繰り出し、ラベルを発行するラベルプリンタであって、操作者毎に割り当てた識別情報と、ラベルプリンタの備える各機能を前記操作者毎に使用可能か否かを規定する権限情報とを関連付けて記憶する記憶部と、ラベル発行に関する操作画面を表示する表示操作部と、前記操作者毎に割り当てた識別情報を入力する識別情報入力部と、前記識別情報入力部に識別情報が入力された場合、入力された前記識別情報に関連付けられた権限情報に基づいて、前記ラベルプリンタの備える機能のうち前記権限情報に規定された使用可能な機能のみを実行する制御部と、を有することを特徴とする。
本発明のラベルプリンタによれば、識別情報入力部に識別情報が入力された場合、制御部が、入力された識別情報に関連付けられた権限情報に基づいて、ラベルプリンタの備える機能のうち権限情報に規定された使用可能な機能のみを実行するので、操作者毎に、装置の機能などを容易に制限可能である。
【０００９】
また、本発明の包装装置は、上記本発明に係るラベルプリンタを有することを特徴とする。
【発明の効果】
【００１０】
本発明によれば、操作者毎に、ラベルプリンタや包装装置の機能などを制限することを容易に行うことができるラベルプリンタ、そのラベルプリンタを備える包装装置を提供することができる。
【図面の簡単な説明】
【００１１】
【図１】本発明の実施形態に係るラベルプリンタ（印刷装置）の構成の一例を示す模式図、（ａ）はその正面図、（ｂ）はその側面図。
【図２】本発明の実施形態に係るラベルプリンタの電気的構成の一例を示すブロック図。
【図３】本発明の実施形態に係るラベルプリンタの商品情報テーブルの一例を示す図。
【図４】本発明の実施形態に係るラベルプリンタの操作者テーブルの一例を示す図。
【図５】本発明の実施形態に係るラベルプリンタの記憶部に記憶された、操作者毎の機能権限テーブルの一例を示す図であり、操作者毎に操作を可能とする機能を特定する情報を記憶するデータ構造の一例を示す図である。
【図６】本発明の実施形態に係るラベルプリンタの操作者（ユーザー）毎の権限レベルの一例を示す図。
【図７】本発明の実施形態に係るラベルプリンタの状態遷移の一例を示す図。
【図８】本発明の実施形態に係るラベルプリンタの表示部に表示する値付け画面の一例を示す図。
【図９】本発明の実施形態に係るラベルプリンタのログイン画面の一例を示す図。
【図１０】本発明の実施形態に係るラベルプリンタの各ユーザのログイン後のメイン画面の一例を示す図、（ａ）は主任でログインしたときのメイン画面、（ｂ）はチーフでログインしたときのメイン画面の一例を示す図。
【図１１】本発明の実施形態に係るラベルプリンタの動作の一例を示すフローチャート。
【図１２】本発明の実施形態に係るラベルプリンタを備えた包装装置の一例を示す斜視図。
【発明を実施するための形態】
【００１２】
本発明の実施形態に係るラベルプリンタ、および、ラベルプリンタを備えた包装装置を、図面を参照して説明する。
図１は本発明の実施形態に係るラベルプリンタ１００（印刷装置）の構成の一例を示す模式図であり、詳細には、図１（ａ）はその正面図、図１（ｂ）はその側面図である。図２は本発明の実施形態に係るラベルプリンタ１００の電気的構成の一例を示すブロック図である。
【００１３】
本発明の実施形態に係るラベルプリンタ１００は、ラベルプリンタの機能や操作に関して、操作者（ユーザ）毎に、使用できる範囲と使用できない範囲を規定している。また、ラベルプリンタ１００は、ラベルの発行に関する情報の設定やその情報の表示を行うラベル発行画面であるラベル操作画面（値付け画面）に、ログインユーザを切り替える機能を有する。
また、ラベルプリンタ１００は、全ユーザーがログアウトした状態であるゲストモードでは、「すべての複数の機能のうち、ほとんどの機能について不許可として制限し、僅かな機能のみを許可した値付けモード」など、機能制限した状態で処理を行う。
本発明における操作者（ユーザ）毎に設定する機能とは、例えば、商品データの各項目毎に入力や変更（修正）の可否、商品データや印刷フォーマット等のデータ呼出しの変更可否、メンテナンス画面やデータ設定画面あるいは作業履歴画面等の画面表示の可否、画面毎に表示する操作ボタン夫々の表示・非表示、キー操作部の操作ボタン夫々に対する操作の可否、入力操作に応じて表示する入力補助画面の表示・非表示、画面を構成する各表示項目に重ねて表示するアイコンの表示・非表示、一連の工程における或る工程の操作の禁止や、あるいは特定の工程の実施を許可する等を示し、データ各項目に対する入力または修正の可否、画面に表示するボタン１つ１つに対する表示・非表示および操作の可否、一連の工程における或る工程の実行禁止あるいは実行許可、等を操作者（ユーザ）毎に細かく設定することができる。
本実施形態に係るラベルプリンタは、ゲストモードでは、例えば、値付け画面を表示部に表示させて見ることはできるが、実際のラベル発行の操作を禁止するように制御する。
【００１４】
また、上記ラベルプリンタ１００を備えた包装装置は、ラベルプリンタや包装装置の機能や操作に関して、操作者毎に、使用できる範囲と使用できない範囲を規定しており、且つ、作業中の操作画面から、ログインユーザの切り替えを容易に行うことができる。
【００１５】
次に、本発明の実施形態に係るラベルプリンタ１００を、図面を参照しながら詳細に説明する。
【００１６】
ラベルプリンタ１００は、本体部１と、はかり２と、などを有する。本体部１はラベルプリンタの本体である。はかり２は物品（商品）の重量を計測し、計測値を本体部１の制御部に出力する。尚、ラベルプリンタ１００は、イメージスキャナ１４などを電気的に接続可能に構成されている。
【００１７】
ラベルプリンタ１００の本体部１は、前面に、第１印字機構部３（印字手段）と、第２印字機構部４（印字手段）と、操作部５と、などを有する。印字機構部３，４は、ラベルの印字を行い、印字したラベルを排出する。この第２印字機構部は、本体部１から取り外し可能に構成されている。
印字機構部３，４は、詳細には、ドット印字を行うサーマルヘッドと、１ドットライン分のデータを蓄積してサーマルヘッドに供給するシフトレジスタと、ラベルを１ドットラインずつ移動させるステッピングモータと、などを有しており、用紙ロールから用紙を繰り出した用紙に、サーマルヘッドにより任意の文字、数字、画像などを印字し、その用紙を切断手段などにより枚葉状のラベルにして発行する。
【００１８】
操作部５は、キー操作部７と、表示操作部としての表示部９と、を備える。キー操作部７はテンキーと印字キーとを備える。テンキーは数字の入力を受け付ける。印字キーは印字指示の入力を受け付ける。表示部９は、液晶表示器などの表示部９ｂの上面にタッチパネル９ａを積層した構造となっており、同一面でデータの表示と入力とができるようになっている。
表示部９ｂは、制御部２０の制御により、本発明に係る各種表示を行う。表示部９ｂとしては、液晶表示器などを採用することができ、例えば、４８０×２００ドットなどのドット表示により、各種データの表示を行う。
【００１９】
タッチパネル９ａは、透明のパネルであり、液晶表示器などの表示部９ｂの上面に設けられている。タッチパネル９ａは、操作者の指がパネルに触れる又はパネルに近づくと、その位置を検出し、検出した位置に応じた信号を制御部２０に出力する。
【００２０】
図２に示したように、ラベルプリンタ１００は、制御回路部２００を有する。制御回路部２００は、制御部２０（ＣＰＵ）と、ロードセル制御部２１と、印字制御部２２と、スキャナ制御部２３と、操作制御部２４と、表示制御部２５と、ＲＡＭ３０と、ＲＯＭ４０と、などを備える。制御部２０（ＣＰＵ）は、バスなどの通信線を介して、制御回路部２００が備える各構成要素と、互いにデータ入出力可能な状態で接続している。
【００２１】
制御部２０は、例えば、ＲＯＭ４０に記憶する制御プログラムとＲＡＭ３０に記憶する各種情報を読み出し、読み出した制御プログラムと各種情報とに基づいて、各構成要素の制御を行う。また、制御部２０は、必要な情報をＲＡＭ３０に記憶させる。
【００２２】
ロードセル制御部２１は、はかり２のロードセル２ａの制御を行う。印字制御部２２は、第１印字機構部３と、第２印字機構部４の制御を行う。スキャナ制御部２３は、イメージスキャナ１４の制御を行う。操作制御部２４は、キー操作部７と、タッチパネル９ａの制御を行う。表示制御部２５は、表示部９ｂの制御を行う。
【００２３】
ＲＡＭ３０、ＲＯＭ４０などの記憶部は、操作者毎に割り当てた識別情報と、ラベルプリンタの備える機能などについて操作者毎に使用可能か否かを規定する権限情報とを関連付けて記憶する。また、記憶部は、ラベル発行画面に表示される、ラベルの発行に関する設定値を変更可能か否かを規定する可否情報を、識別情報と関連付けて権限情報に記憶する。また、記憶部は、ラベル発行画面に、ラベルプリンタの機能に対応する操作ボタンを表示させるか否かを規定するボタン表示情報を、識別情報と関連付けて権限情報に記憶する。
【００２４】
詳細には、ＲＡＭ３０は、制御部２０（ＣＰＵ）が用いる情報を記憶する一時記憶領域である。ＲＡＭ３０は、商品情報テーブル（図３参照）と、操作者テーブル（図４参照）と、操作者毎の機能権限テーブル（図５参照）と、などを記憶する。ＲＯＭ４０は制御プログラムを記憶する。
【００２５】
図３は、ラベルプリンタ１００の記憶部が記憶する商品情報テーブルのデータ構造を示した図である。商品情報テーブルは、商品番号と、品名と、単価とのデータ項目を有する。商品番号は、商品の種類を一意に特定する番号である。品名は商品の名称である。単価は商品１単位あたりの価格である。
図３に示した例では、商品番号「００１」の品名は「牛肩ロース」であり、単価は「３５０」である。また、商品番号「００２」の品名は「豚挽肉」であり、単価は「８０」である。
尚、商品情報テーブルは、取り扱う商品の種類に応じて記憶する情報量が多くなり、また、図示せぬデータ項目を含んでいてもよい。
【００２６】
図４は、ラベルプリンタ１００の記憶部が記憶する操作者テーブルのデータ構造を示した図である。操作者テーブルは、操作者コードと名前とのデータ項目を有する。
図４に示した操作者コードは、操作者を一意に特定する番号である。名前は操作者の名前である。図示する例では、操作者コード「００１」の名前は「○○」である。また、操作者コード「００２」の名前は「△△」である。尚、操作者テーブルは、操作者が多くなるにつれて記憶する情報量も多くなる。また、操作者テーブルは、上記実施形態に限られるものではなく、図示せぬデータ項目を有していてもよい。
【００２７】
図５は、本発明の実施形態に係るラベルプリンタの操作者毎の機能権限テーブルの一例を示す図である。詳細には、図５は、操作者毎に操作を可能とする機能を特定する情報を記憶するデータ構造の一例を示す図である。
機能権限テーブル（操作を可能とする機能を特定する情報）は、操作者コードと、Ｂ１〜ＢＮとのデータ項目を有する。Ｂ１〜ＢＮは、操作者が操作できる画面に表示するボタンを特定するコード、及び、その表示するボタンにおける設定値の変更を許可する可否情報等である。なお、図示していないが機能権限テーブルには、商品データや印刷フォーマット等のデータ呼出しの変更可否、メンテナンス画面やデータ設定画面あるいは作業履歴画面等の画面表示の可否、画面毎に表示する操作ボタン夫々の表示・非表示、キー操作部の操作ボタン夫々に対する操作の可否、入力操作に応じて表示する入力補助画面の表示・非表示、画面を構成する各表示項目に重ねて表示するアイコンの表示・非表示、等を操作者（ユーザ）毎に細かく設定することができる。例えば、操作ミスが多い操作者の機能権限テーブルに、入力操作に応じて表示する入力補助画面の表示を必ず表示するように設定することにより、入力操作時に入力補助画面が表示されるので、操作ミスを軽減させることができる。
【００２８】
図６は、本発明の実施形態に係るラベルプリンタ１００の操作者（ユーザー）毎の権限レベルの一例を示す図である。本発明の実施形態に係るラベルプリンタ１００は、操作者（ユーザー）毎に、権限を設定することができ、ログインユーザー別に操作を制限することができる。図６に示した例では、ラベルプリンタ１００は、第１権限レベル、第２権限レベル、第３権限レベル、第４権限レベル、・・・、などの権限レベルを操作者毎に設定することができる。
【００２９】
例えば、第１権限レベルは、装置（ラベルプリンタや包装装置など）の全ての機能を実行する権限を有する。第２権限レベルは、第１権限レベルと比べて、装置の全ての機能のうち、特定の機能を実行することができ、それ以外の機能については実行することができないように設定されている。第３権限レベルは、第２権限レベルと比べて、少ない特定の機能を実行することができ、それ以外の機能については実行することができないように設定されている。第４権限レベルは、第３権限レベルと比べて、少ない特定の機能を実行することができ、それ以外の機能については実行することができないように設定されている。ゲストモード（非ログイン状態）は、「極めて限られた機能しか実行できない値付モード」、「トレーニングモード」のみ操作可能、または、実行可能に設定されている。トレーニングモードは、実際のラベル発行を行うことを禁止しており、ラベルを発行する際の操作をトレーニングするための機能である。なお、第１権限レベルは、第２権限レベル以降の低い権限レベルの操作者に対して、ある特定の機能の実行あるいは表示または変更を許可（第１権限レベル）に設定することも可能になっている。
【００３０】
上記例では、制御部２０は、権限レベルの番号が小さいほど、機能制限が小さいように設定されている。
また、上位の権限レベルの操作者（ユーザー）は下位の権限レベルの操作者（ユーザー）の機能権限テーブルの設定内容を追加したり変更することが可能である（例えば、特定の機能を操作可能にしたり禁止したりすることができる）が、下位の権限レベルの操作者は上位の権限レベルの操作者の設定を変更することができないように、制御部２０が処理を行う。
また、上位の権限レベルの操作者（ユーザー）は下位の権限レベルの操作者（ユーザー）のアカウントを削除することができるが、下位の権限レベルの操作者は上位の権限レベルの操作者のアカウントを削除できないように、制御部２０が処理を行う。
【００３１】
図６に示した例では、操作者（ユーザー）として、管理者、マネージャー、リーダー、オペレータなどが、それぞれのパスワードと関連付けられて、ラベルプリンタ１００の記憶部（ＲＡＭ３０、ＲＯＭ４０など）に記憶されている。
制御部２０は、操作入力部により、操作者（ユーザー）として管理者の識別情報（ＩＤ）が選択され、且つ、パスワードが入力された場合、予め記憶部に記憶されている管理者の識別情報に関連づけられたパスワードと、入力部から入力されたパスワードとが一致するか否かを判断し、それが一致した場合、装置へのログインを許可し、管理者の識別情報（ＩＤ）に関連付けられている第１権限レベルに基づいて、各種機能を実行可能に処理する。制御部２０は、上記パスワードが一致しない場合、装置へのログインを不許可とする。
【００３２】
また、制御部２０は、操作入力部により、操作者（ユーザー）としてマネージャーの識別情報（ＩＤ）が選択され、且つ、パスワードが入力された場合、予め記憶部に記憶されているマネージャーの識別情報に関連づけられたパスワードと、入力部から入力されたパスワードとが一致するか否かを判断し、それが一致した場合、装置へのログインを許可し、管理者の識別情報（ＩＤ）に関連付けられている第２権限レベルに基づいて、各種機能を実行可能に処理する。制御部２０は、上記パスワードが一致しない場合、装置へのログインを不許可とする。また、制御部２０は、他のユーザに関しても、同様の処理を行う。
【００３３】
また、制御部２０は、全ユーザーがログアウトした状態であるゲストモードでは、「すべての複数の機能のうち、ほとんどの機能について不許可として制限し、僅かな機能のみを許可した値付けモード」、「実際に値付処理を行うことなく、模擬的に値付処理の操作をトレーニング可能なトレーニングモード」など、機能制限した状態で使用可能に処理する。なお、トレーニングモードにおいてラベル発行を禁止するとしているが、権限が制限されている場合にラベル発行を許可するときには、発行されるラベルにトレーニングモードで発行された事を示す印や文字等を印字させるようにしてもよい。
【００３４】
図７は、本発明の実施形態に係るラベルプリンタ１００の状態遷移の一例を示す図である。図８は本発明の実施形態に係るラベルプリンタの表示部に表示する値付け画面の一例を示す図であり、商品データや印刷フォーマット等のデータ呼出しの変更可否、画面毎に表示する操作ボタン夫々の表示・非表示、キー操作部の操作ボタン夫々に対する操作の可否、入力操作に応じて表示する入力補助画面の表示・非表示、画面を構成する各表示項目に重ねて表示するアイコンの表示・非表示、データ各項目に対する入力または修正の可否等に基づいて表示操作部が表示されている。図９は、本発明の実施形態に係るラベルプリンタのログイン画面の一例を示す図である。図１０は、本発明の実施形態に係るラベルプリンタの各ユーザのログイン後のメイン画面の一例を示す図である。詳細には、図１０（ａ）は主任でログインしたときのメイン画面、図１０（ｂ）はチーフでログインしたときのメイン画面の一例を示す図であり、集計モード画面を呼出す操作ボタンやデータ設定画面等の画面表示の可否に基づいて、表示操作部が表示されている。
【００３５】
図７に示したように、操作者（ユーザー）がログインしていない状態、すなわち、非ログイン時、制御部２０は、ゲストモードに設定し、プリンタ１００のすべての複数の機能のうち、ほとんどの機能について不許可として制限し、僅かな機能のみを許可した値付けモードなどを許可する。
また、制御部２０は、非ログイン状態で、タッチパネル９ａなど表示部９によりログインボタンの操作を検出した場合、図７、図９に示したように、ユーザーログイン画面（ユーザ選択画面）を表示する処理を行う。
制御部２０は、図９に示した、ユーザーログイン画面で、ログオフボタンが操作された場合など、ゲストモードに設定する。
また、ユーザーログイン画面において、操作者の識別情報とパスワードが入力され、ユーザー認証が正しく行われた場合、制御部２０は、図１０に示したように、ログインした操作者毎のメインメニューを表示し、更に、値付モードボタンが操作された場合、図８に示したように、値付け画面（ラベル発行画面）を表示する処理を行う。
【００３６】
図８に示した値付け画面（ラベル発行画面）において、ログアウトボタン（ＬＯＢＴ）が操作された場合、制御部２０はゲストモードに設定する。図８に示した値付け画面（ラベル発行画面）において、操作者（ユーザー）切り替えボタン（ＵＢＴ）が操作された場合、制御部２０は図７に示したユーザーログイン画面を表示させる。
【００３７】
図８に示したように、ラベルプリンタ１００がラベル発行を行うモード（ラベル発行モード）で動作する際に、表示操作部（タッチパネル９ａ、液晶表示器などの表示部９ｂ）が表示する値付け画面（ラベル発行画面）は、商品名や産地情報、商品番号、単価、重量、値段などを表示する領域と、操作者（ユーザー）切り替えボタン（ＵＢＴ）、ログアウトボタン（ＬＯＢＴ）、各種設定ボタン、ページ切り替えボタンなどを表示する領域、などが機能権限テーブルに基づき表示される。
【００３８】
また、図８に示したラベル発行画面において、バーコード印字を行うか否かを設定する操作ボタン、ラベル印字を行うか否かを設定する操作ボタン、値段印字を行うか否かを設定する操作ボタン、単価を印字させるか否かを設定する操作ボタン、ラベル発行方法を自動または手動に設定する操作ボタン、ラベルサイズを設定する操作ボタン、底ラベルを設定するボタン、ラベラーを切り替え設定するボタン、ＰＯＰラベルサイズを設定する操作ボタン、連動ラベルサイズを設定するボタン、ラベルの貼付位置を設定するボタン、などのラベルプリンタ１００の各機能に対応する操作ボタンを、制御部２０は、機能権限テーブル（図５参照）に基づいて適宜表示する処理を行う。
【００３９】
また、本発明の実施形態では、制御部２０は、値付け表示画面（ラベル発行画面）中に、操作者切り替えボタン（ＵＢＴ）、ログアウトボタン（ＬＯＢＴ）などを表示している（図８参照）。
【００４０】
図９に示したように、制御部２０は、ユーザーログイン画面において、操作者（ユーザ）の識別情報として、識別番号（ＩＤ）、名前などを関連付けて一覧表示するように表示部９ｂを制御する。また、ユーザーログイン画面は、パスワード入力欄、ログインボタン、ログオフボタン、中止ボタンなどを有する。
【００４１】
制御部２０は、例えば、表示部９ｂに表示された操作者の名前または識別情報をタップ操作などにより選択した後、規定されたパスワードを入力した場合、その入力されたパスワードが、記憶部に記憶された操作者毎に設定されたパスワードと一致した場合、正しくユーザー認証されたとしてログイン処理を行い、パスワードが一致しない場合、その操作者のログインを認めない。
【００４２】
図１０（ａ）に示したように、操作者（ユーザー）として主任などがログインした場合、制御部２０は、メインメニュー画面を表示し、そのメインメニュー中に値付けモードに設定させるせるボタン（アイコン）を表示し、値付けモードボタンの操作を検出した場合、値付けモードに設定する。
【００４３】
また、操作者としてチーフなどがログインした場合、制御部２０は、図１０（ｂ）に、示したように、メインメニュー画面を表示し、そのメインメニュー中に、「値付けモード」ボタン（アイコン）、集計モードボタン（アイコン）を表示し、値付けモードボタンの操作を検出した場合、値付けモードに設定し、図８に示した、値付け画面（ラベル発行画面）を表示部９ｂに表示する処理を行い、集計モードボタンの操作を検出した場合、集計モードに設定する。集計モードは、例えば、記憶部に記憶されているラベル発行履歴に基づいて、操作者毎のラベルの発行枚数などの集計データを表示するモードである。
【００４４】
＜ラベルプリンタの動作＞
図１１は本発明の実施形態に係るラベルプリンタ１００の動作の一例を示すフローチャートである。図１１に示した例では、操作者（ユーザー）がログインした状態での動作の一例を説明する。
【００４５】
ステップＳ１１において、制御部２０は、表示制御部２５の制御により、液晶表示器などの表示部９ｂに値付け画面（値付操作画面）を表示する処理を行う（図８参照）。
【００４６】
ステップＳ１３において、図８に示したように、制御部２０は、表示部９ｂによりユーザ切り替えボタンボタン（ＵＢＴ）を表示している位置に対応する、タッチパネル９ａ上の位置を操作者によりタップされたか否かを判別する。つまり、制御部２０は、ユーザ切り替えボタン（ＵＢＴ）が操作されたか否かを判別し、ボタン（ＵＢＴ）を操作したと判断した場合、ステップＳ１７の処理に進み、それ以外の場合、ステップＳ１５に進む。
【００４７】
ステップＳ１５において、制御部２０は、値付け処理などの所定の処理を行い、ステップＳ１１の処理に進む。
【００４８】
ステップＳ１７において、制御部２０は、ユーザー認証を行い、ユーザを認証した場合、ステップＳ１９の処理に進み、それ以外の場合にステップＳ１１の処理に進む。
詳細には、制御部２０は、図９に示したように、ユーザーログイン画面を表示部９ｂに表示させる。次に、制御部２０は、タッチパネル９ａなどの入力部から、ユーザーの識別情報が選択され、且つ、パスワードが入力され、ログインボタンが操作された場合、選択されたユーザの識別情報に関連付けられたパスワードを記憶部から読み出して、入力部から入力されたパスワードとを比較して一致しているか否かにより、上記ユーザー認証を行う。
【００４９】
ステップＳ１９において、制御部２０は、ユーザを認証して、ログイン処理を行い、ログインしたユーザーに対応した権限情報（権限レベル）に応じたラベルプリンタの機能、操作などを許可し、権限情報（権限レベル）に応じて規定されたラベルプリンタの機能、操作などを制限し、ステップＳ１１の処理に進む。
【００５０】
尚、図８に示した値付け画面、図９に示したユーザログイン画面などからログアウトすることで、ゲストモードに容易に設定することができる。
【００５１】
＜ラベルプリンタ１００を備えた包装装置１００Ａ＞
図１２は、本発明の実施形態に係るラベルプリンタ１００を備えた包装装置１００Ａの一例を示す斜視図である。上述した実施形態のプリンタ１００と同様な構成、動作については説明を省略する。
【００５２】
本発明の実施形態に係る包装装置１００Ａは、上記本発明の実施形態に係るラベルプリンタ１００を備える。
包装装置１００Ａは、記憶部が、操作者毎に割り当てた識別情報と、包装装置１００Ａの備える機能について操作者毎に使用可能か否かを規定する権限情報とを関連付けて記憶する。包装装置１００Ａの表示操作部としての表示部９は、包装処理に関する操作画面である包装画面を表示する。また、表示部９は、包装画面に操作者毎に割り当てた識別情報を入力する識別情報入力部を表示可能である。
【００５３】
制御部２０は、ラベルプリンタ１００と包装装置１００Ａの各構成要素を統括的に制御する。制御部２０は、識別情報入力部に識別情報が入力された場合、入力された識別情報に関連付けられた権限情報に基づいて、包装装置１００Ａの備える機能のうち権限情報に規定された使用可能な機能のみを実行する。
【００５４】
制御部２０は、例えば、操作者に関し非ログイン状態の場合、包装画面を表示操作部に表示させるとともに、ラベルの発行を禁止する処理を行う。
【００５５】
以上、説明したように、本発明の実施形態に係るラベルプリンタ１００は、用紙ロールから用紙を繰り出し、該用紙を枚葉状のラベルにして発行する。ラベルプリンタ１００は、操作者毎に割り当てた識別情報と、ラベルプリンタ１００の備える機能について操作者毎に使用可能か否かを規定する権限情報とを関連付けて記憶する記憶部（ＲＡＭ３０、ＲＯＭ４０）と、ラベル発行に関する操作画面（値付け画面）であるラベル発行画面（図８参照）を表示する表示部９と、操作者毎に割り当てた識別情報を入力する識別情報入力部と、識別情報入力部に識別情報が入力された場合、入力された識別情報に関連付けられた権限情報に基づいて、ラベルプリンタ１００の備える機能のうち権限情報に規定された使用可能な機能のみを実行する制御部２０と、を有する。
すなわち、制御部２０が、操作者毎に識別情報に関連付けられた権限情報に基づいて、ラベルプリンタ１００の備える機能のうち権限情報に規定された使用可能な機能のみを実行するので、ラベルプリンタ１００の機能を制限すること等を容易に行うことができるラベルプリンタ１００を提供することができる。
【００５６】
また、本発明の実施形態に係るラベルプリンタ１００は、制御部２０の制御により、表示部９が、ラベル発行画面に識別情報入力部（操作者切り替えボタン（ＵＢＴ））を表示する処理を行う。
つまり、値付け画面（ラベル発行画面）に、操作者を切り替えるための切替手段として、識別情報入力部（操作者切り替えボタン（ＵＢＴ））を設けたので、操作者を容易に切り替えることができ、前の操作者がログインしたままの状態で、次の操作者が操作を行ってしまうという不具合を防止することができる。
【００５７】
また、本発明の実施形態に係るラベルプリンタ１００は、操作者に関し非ログイン状態の場合、制御部２０が、ラベル発行画面を表示部９に表示させ、且つ、第１印字機構部３または第２印字機構部４によるラベルの発行を禁止する処理を行う。
このように、非ログイン状態であるゲストモード時、ラベルの発行を禁止し、ラベル発行画面を表示させることで、非ログイン状態では、極めて制限された機能しか実行することができず、非登録者によるラベル操作を禁止することができ、不要なラベルの発行や誤作動を容易に防止することができるラベルプリンタ１００を提供することができる。
【００５８】
また、本発明の実施形態に係るラベルプリンタ１００は、ＲＡＭ３０やＲＯＭ４０などの記憶部が、ラベル発行画面に表示される、ラベルの発行に関する設定値（日付、内容量、風袋、単価、商品識別情報など）を変更可能か否かを規定する可否情報を、操作者の識別情報と関連付けて機能権限テーブルに記憶する（図５参照）。制御部２０は、識別情報入力部に識別情報が入力された場合、入力された識別情報に関連付けられた権限情報の可否情報に基づいて、ラベルの発行に関する設定値を変更する、または、その設定値の変更を禁止する処理を行う。
例えば、高い権限レベルの操作者にのみ、ラベルの発行に関する設定値の変更を許可し、低い権限レベルの操作者に、そのラベルの発行に関する設定値の変更を許可しないように設定することで、制御部２０は、操作者毎の権限情報（権限レベル）の可否情報に応じて、高い権限レベルの操作者にのみ、ラベルの発行に関する設定値を変更する処理を行い、低い権限レベルの操作者に、その設定値の変更を禁止する処理を行うことができる。また、低い権限レベルの操作者ではあるものの、ある特定の機能を操作可能に設定することも可能である。
すなわち、例えば、管理者などの高い権限レベルを割り当てた操作者には、上記設定値の変更を許可し、単純にラベル発行作業のみを行うオペレータなどの低い権限レベルを割り当てた操作者には、ラベルの発行に関する設定値の変更を禁止する、などの設定を容易に行うことができるとともに、低い権限レベルの操作者ではあるものの、ある特定の機能を操作可能に設定することも可能であるラベルプリンタ１００を提供することができる。
【００５９】
また、本発明の実施形態に係るラベルプリンタ１００は、ＲＡＭ３０やＲＯＭ４０などの記憶部が、ラベル発行画面（図８参照）に、ラベルプリンタ１００の各機能に対応する操作ボタンを表示させるか否かを規定するボタン表示情報を、操作者の識別情報と関連付けて権限情報に記憶する（図５参照）。
制御部２０は、識別情報入力部に識別情報が入力された場合、入力された識別情報に関連付けられた権限情報のボタン表示情報に基づいて、操作者毎のラベル発行画面に操作ボタンを表示させる、または、当該操作ボタンの表示を禁止する処理を行う。
【００６０】
詳細には、例えば、図８に示したラベル発行画面において、バーコード印字を行うか否かを設定する操作ボタン、ラベル印字を行うか否かを設定する操作ボタン、値段印字を行うか否かを設定する操作ボタン、単価を印字させるか否かを設定する操作ボタン、ラベル発行方法を自動または手動に設定する操作ボタン、ラベルサイズを設定する操作ボタン、底ラベルを設定するボタン、ラベラーを切り替え設定するボタン、ＰＯＰラベルサイズを設定する操作ボタン、連動ラベルサイズを設定するボタン、ラベルの貼付位置を設定するボタンなどの、ラベルプリンタ１００の各機能に対応する操作ボタンを、制御部２０は、権限情報のボタン表示情報（図５参照）に基づいて適宜表示する処理を行うことができる。
【００６１】
このため、例えば、高い権限レベルの操作者にのみ、ラベルプリンタ１００の各機能に対応する操作ボタンの表示又は非表示を設定させる権限を与え、低い権限レベルの操作者には、ラベルプリンタ１００の各機能に対応する操作ボタンの表示又は非表示を設定させる権限を与えないように、容易に処理することができる。
詳細には、操作権限のない操作者に対して、表示させたくない操作ボタンを表示させるということを簡単に防止することができる。
【００６２】
また、本発明の実施形態に係る包装装置１００Ａは、上記ラベルプリンタ１００を備える。このため、操作者毎に、ラベルプリンタ１００や包装装置１００Ａの機能を制限すること等を容易に行うことが可能な包装装置１００Ａを提供することができる。
【００６３】
また、本発明の実施形態に係る包装装置１００Ａは、記憶部が、操作者毎に割り当てた識別情報と、包装装置の備える機能について操作者毎に使用可能か否かを規定する権限情報とを関連付けて記憶する。表示部９は、包装処理に関する操作画面である包装画面を表示する。包装装置１００Ａは、操作者毎に割り当てた識別情報を入力する識別情報入力部を有する。また、表示部９は、包装画面に識別情報入力部を表示可能である。制御部２０は、識別情報入力部に識別情報が入力された場合、入力された識別情報に関連付けられた権限情報に基づいて、包装装置１００Ａの備える機能のうち権限情報に規定された使用可能な機能のみを実行する。
このため、操作者毎に、ラベルプリンタ１００や包装装置１００Ａの機能を制限すること等を容易に行うことが可能な包装装置１００Ａを提供することができる。
【００６４】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００６５】
以上、本発明の実施形態について説明したが、本発明の実施形態の一部または全部は、以下の付記のように記載される。
［付記１］
用紙ロールから用紙を繰り出し、ラベルを発行するラベルプリンタであって、
操作者毎に割り当てた識別情報と、ラベルプリンタの備える各機能を前記操作者毎に使用可能か否かを規定する権限情報とを関連付けて記憶する記憶部と、
ラベル発行に関する操作画面を表示する表示操作部と、
前記操作者毎に割り当てた識別情報を入力する識別情報入力部と、
前記識別情報入力部に識別情報が入力された場合、入力された前記識別情報に関連付けられた権限情報に基づいて、前記ラベルプリンタの備える機能のうち前記権限情報に規定された使用可能な機能のみを実行する制御部と、
を有することを特徴とするラベルプリンタ。
［付記２］
前記表示操作部は、前記操作画面に前記識別情報入力部を表示することを特徴とする付記１に記載のラベルプリンタ。
［付記３］
前記制御部は、前記操作者に関し非ログイン状態の場合、前記操作画面を前記表示操作部に表示させ、且つ、前記ラベルの発行を禁止する処理を行うことを特徴とする付記１または付記２に記載のラベルプリンタ。
［付記４］
前記記憶部は、前記操作画面に表示される、前記ラベルの発行に関する設定値を変更可能か否かを規定する可否情報を、前記識別情報と関連付けて前記権限情報に記憶し、
前記制御部は、前記識別情報入力部に識別情報が入力された場合、入力された前記識別情報に関連付けられた前記権限情報の前記可否情報に基づいて、前記ラベルの発行に関する設定値を変更する、または、前記設定値の変更を禁止する処理を行うことを特徴とする付記１から付記３の何れかに記載のラベルプリンタ。
［付記５］
前記記憶部は、前記操作画面に、前記ラベルプリンタの機能に対応する操作ボタンを表示させるか否かを規定するボタン表示情報を、前記識別情報と関連付けて前記権限情報に記憶し、
前記制御部は、前記識別情報入力部に識別情報が入力された場合、入力された前記識別情報に関連付けられた前記権限情報の前記ボタン表示情報に基づいて、前記操作画面に前記操作ボタンを表示させる、または、当該操作ボタンの表示を禁止する処理を行うことを特徴とする付記１から付記４の何れかに記載のラベルプリンタ。
［付記６］
付記１から付記５の何れかに記載のラベルプリンタを備える包装装置。
［付記７］
前記記憶部は、操作者毎に割り当てた識別情報と、包装装置の備える機能について前記操作者毎に使用可能か否かを規定する権限情報とを関連付けて記憶し、
前記表示操作部は、包装処理に関する操作画面である包装画面を表示するとともに、該包装画面に前記操作者毎に割り当てた識別情報を入力する識別情報入力部を表示可能であり、
前記制御部は、前記識別情報入力部に識別情報が入力された場合、入力された前記識別情報に関連付けられた権限情報に基づいて、前記包装装置の備える機能のうち前記権限情報に規定された使用可能な機能のみを実行することを特徴とする付記６に記載の包装装置。
【符号の説明】
【００６６】
１  本体部
２  はかり
２ａ  ロードセル
３  第１印字機構部（印字手段）
４  第２印字機構部（印字手段）
５  操作部
７  キー操作部
９  表示部（表示操作部）
９ａ  タッチパネル
９ｂ  表示部（液晶表示器）
１４  イメージスキャナ
２０  制御部（ＣＰＵ）
２１  ロードセル制御部
２２  印字制御部
２３  スキャナ制御部
２４  操作制御部
２５  表示制御部
３０  ＲＡＭ（記憶部）
４０  ＲＯＭ（記憶部）
１００  ラベルプリンタ（印刷装置）
１００Ａ  包装装置
２００  制御回路部
ＵＢＴ  操作者（ユーザ）切り替えボタン
ＬＯＢＴ  ログアウトボタン
【図１】
2015006739.tif 000003
【図２】
2015006739.tif 000004
【図３】
2015006739.tif 000005
【図４】
2015006739.tif 000006
【図５】
2015006739.tif 000007
【図６】
2015006739.tif 000008
【図７】
2015006739.tif 000009
【図８】
2015006739.tif 000010
【図９】
2015006739.tif 000011
【図１０】
2015006739.tif 000012
【図１１】
2015006739.tif 000013
【図１２】
2015006739.tif 000014